(57)【要約】      （修正有）【課題】録音中にイグニッションキーをＯＦＦにしたとき、録音に関係しない構成部への電源の供給を遮断し省エネを図る。【解決手段】再生手段と、再生手段によって再生されたオーディオデータを記録する記録手段と、再生手段によって再生されたオーディオデータを所定の音量で出力するために増幅する増幅手段と、オーディオデータに関する情報を表示する表示手段と、イグニッションキーのＯＮ／ＯＦＦを検出する検出手段と、再生手段と記録手段と増幅手段と表示手段とに電源を供給する電源供給手段と、再生手段が再生中のオーディオデータが記録手段によって記録されているときであり且つ検出手段がＯＮからＯＦＦを検出したとき、増幅手段及び表示手段への電源を遮断し、再生手段と記録手段への電源の供給を続けるように電源供給手段へ指示する制御手段と、を備える。【選択図】  図１
2007179628.tif 000002
【特許請求の範囲】
【請求項１】
オーディオデータを再生する再生手段と、該再生手段によって再生されたオーディオデータを記録する記録手段と、前記再生手段によって再生されたオーディオデータを所定の音量で出力するために増幅する増幅手段と、前記オーディオデータに関する情報を表示する表示手段と、イグニッションキーのＯＮ／ＯＦＦを検出する検出手段と、前記再生手段と前記記録手段と前記増幅手段と前記表示手段とに電源を供給する電源供給手段と、前記再生手段が再生中のオーディオデータが前記記録手段によって記録されているときであり且つ前記検出手段がＯＮからＯＦＦを検出したとき、前記増幅手段と前記表示手段への電源を遮断し、前記再生手段と前記記録手段への電源の供給を続けるように前記電源供給手段へ指示する制御手段と、を備えたことを特徴とする車載用オーディオ装置。
【請求項２】
前記増幅手段及び前記表示手段への電源遮断を報知する報知手段を備えたことを特徴とする請求項１に記載の車載用オーディオ装置。
【請求項３】
前記報知手段はＬＥＤであることを特徴とする請求項２に記載の車載用オーディオ装置。
【発明の詳細な説明】
【技術分野】
【０００１】
本発明は、車載用オーディオ装置に関する。
【背景技術】
【０００２】
従来、車載用オーディオ装置において、音楽などの録音中にイグニッションキーがＯＦＦにされると車載用オーディオ装置への電源が遮断され、曲が最後まで正常に録音されない場合があった。
【０００３】
そこで、イグニッションキーがＯＦＦにされたとき録音中であるという判断に基づき、現在録音中の曲が終了するまで車載用オーディオ装置へ電源を供給し続け、曲が終了すると同時に録音を終了し、電源を遮断する装置が考案された。(例えば特許文献１参照)
【特許文献１】特開２０００−３５７３６３号公報（図２、段落）
【発明の開示】
【発明が解決しようとする課題】
【０００４】
しかしながら、上記特許文献１に記載の車載用オーディオ装置では、イグニッションキーをＯＦＦ、すなわちエンジンが停止した状態で録音を行うので、車載用オーディオ装置には通常通りの電源が供給されるが、エンジンが回転していないときはバッテリの充電が行われない。従って、長時間録音を継続する場合はバッテリ上がりの原因となる。
【課題を解決するための手段】
【０００５】
上記課題を解決するために本発明の車載用オーディオ装置は、オーディオデータを再生する再生手段と、該再生手段によって再生されたオーディオデータを記録する記録手段と、前記再生手段によって再生されたオーディオデータを所定の音量で出力するために増幅する増幅手段と、前記オーディオデータに関する情報を表示する表示手段と、イグニッションキーのＯＮ／ＯＦＦを検出する検出手段と、前記再生手段と前記記録手段と前記増幅手段と前記表示手段とに電源を供給する電源供給手段と、前記再生手段が再生中のオーディオデータが前記記録手段によって記録されているときであり且つ前記検出手段がＯＮからＯＦＦを検出したとき前記増幅手段及び前記表示手段への電源を遮断し、前記再生手段と前記記録手段への電源の供給を続けるように前記電源供給部へ指示する制御手段と、を備えることを特徴とする。
【０００６】
また、前記増幅手段及び前記表示手段への電源遮断を報知する報知手段を備えることを特徴とする。
【０００７】
また、前記報知手段はＬＥＤであることを特徴とする。
【発明の効果】
【０００８】
本発明によれば、車載用オーディオ装置において、録音中にイグニッションキーをＯＦＦにしても、録音に関係しない部分には電源を供給しないので、バッテリ上がりを防止できる。
【発明を実施するための最良の形態】
【０００９】
本発明の実施の一形態について、図面に基づいて説明すれば、以下の通りである。
【００１０】
まず、本発明における車載用オーディオ装置１の要部構成を、図１のブロック図を用いて説明する。
【００１１】
図１に示すように車載用オーディオ装置１において、制御部１１はＲＯＭ１２に記憶されたプログラムに基づいて各部を制御する。再生部１３は例えばＣＤに記録されたオーディオデータ及びオーディオデータの曲番や再生時間等に関する各種情報を再生し、制御部１１又は録音部１４に出力する。録音部１４は再生部１３より出力されたオーディオデータを例えばＨＤＤ等の記録媒体に録音する。表示部１５は液晶の表示機であり例えば再生部１３で再生中のオーディオデータの曲番や再生時間等を表示する。操作部１６は、使用者の押下によりオーディオデータの再生や記録を指示するスイッチである。アンプ１７は再生部１３により再生されたオーディオデータが制御部１１に入力され、制御部１１より出力されたオーディオ信号を所定の音量になるように増幅し、車載用オーディオ装置１が取り付けられた車に設けられたスピーカー(図示せず)に出力する。ＬＥＤ１９は、制御部１１の指示により点灯し、再生部１１が再生中のオーディオデータが録音部１４によって記録されているときであり且つ後述するＡＣＣ検出部２１がＯＮからＯＦＦを検出したときに録音中であることを使用者に報知する。
【００１２】
電源入力部２０は、カーバッテリ(図示せず)と接続され、カーバッテリからの電源を車載用オーディオ装置１の各部へ電源を供給する。ＡＣＣ検出部２１は車載用オーディオ装置１が取り付けられた車に設けられたイグニッションキー（図示せず）のＯＮ／ＯＦＦを検出し検出結果を制御部１１に出力する。
【００１３】
次に車載用オーディオ装置１の制御部１１の動作を図２に示すフローチャートを用いて説明する。
【００１４】
制御部１１は、ＡＣＣ検出部２１の出力に基づきイグニッションキーがＯＦＦにされたか否かを検出する（ステップＳ１）。そして、ステップＳ１においてイグニッションキーがＯＦＦにされたことが検出されると（ステップＳ１のＹ）、記録部１４がオーディオデータを録音中であるか否かを判別し（ステップＳ２）、録音中でなければ(ステップＳ２のＮ)、電源入力部２０からの電源の供給を遮断し車載用オーディオ装置１を停止させる。
【００１５】
また、ステップＳ２において録音中であれば（ステップＳ２のＹ）、再生部１３で再生されたオーディオデータの録音を録音部１４で行うことに不要な表示部１５、操作部１６、アンプ１７への電源の供給を遮断する（ステップＳ３）。そして、録音中であることを使用者に報知するためＬＥＤ１９を点灯させる（ステップＳ４）。
【００１６】
その後、現在再生中（或いは録音中）の曲の再生が終了したか否かをＣＤに記録された曲番や再生時間等に関する各種情報に基づいて判別し（ステップＳ５）、終了したと判別した場合は（ステップＳ５のＹ）、電源入力部２０からの電源の供給を遮断し、車載用オーディオ装置１を停止させる。
【００１７】
なお、上記実施例では、ＣＤを再生しＨＤＤへ録音する場合について説明したが、これに限定するものではなく、例えば、フラッシュメモリ等からなる着脱可能な小型の記憶媒体に記録されたオーディオデータを再生してもよく、また、フラッシュメモリ等からなる着脱可能な小型の記憶媒体にオーディオデータを録音するようにしてもよい。
【００１８】
このように、録音中にイグニッションキーがＯＦＦにされても録音を継続する場合、録音に関係しない構成部には電源を供給しないようにしたので、消費電力を低減でき、バッテリ上がりを防止することができる。
【図面の簡単な説明】
【００１９】
【図１】本発明の車載用オーディオ装置内部の要部構成を示したブロック図である。
【図２】本発明の車載用オーディオ装置における制御部の動作を示すフローチャート図である。
【符号の説明】
【００２０】
１１      制御部
１２      ＲＯＭ
１３      再生部
１４      録音部
１５      表示部
１６      操作部
１７      アンプ
１８      ＬＥＤ
１９      電源入力部
２０      ＡＣＣ検出部
【図１】
2007179628.tif 000003
【図２】
2007179628.tif 000004